(57)【要約】【課題】使用する軸受のｄｍｎ値が１００万以上の高速回転可能、且つ、良好な防水機能を維持しながら、遠心力によるフリンガーの変形を防止することができるスピンドル装置を提供する。【解決手段】スピンドル装置１０は、回転軸１１の周囲に一体回転可能に固定され、前側軸受５０，５０への液体の浸入を抑制する防水機能を有するフリンガー４０を有する。ハウジングは、その軸方向端面１２ｂと外周面１３ｃとを凸状の球面１２ｃ、１３ｄによって繋ぐように形成され、フリンガー４０は、円筒状のボス部４２と、ボス部４２から径方向外側に延設する延設部４５と、を備え、延設部４５は、ハウジングＨの凸状の球面１２ｃ、１３ｄとの対向面に凹状の球面４５ａを有する。また、フリンガー４０は、回転軸１１に対して比重が小さく、且つ、比強度が高い材料からなる。【選択図】図２
2014046408.tif 000002
【特許請求の範囲】
【請求項１】
一端側に加工工具が取り付けられる回転軸と、
前記回転軸を軸受を介して回転自在に支持するハウジングと、
前記回転軸の周囲に一体回転可能に固定され、前記軸受への液体の浸入を抑制する防水機能を有するフリンガーと、
を備えたスピンドル装置であって、
前記ハウジングは、その軸方向端面と外周面とを凸状の曲面によって繋ぐように形成され、
前記フリンガーは、円筒状の基部と、前記基部から径方向外側に延設する延設部と、を備え、
前記延設部は、前記ハウジングの凸状の曲面との対向面に凹状の曲面を有することを特徴とするスピンドル装置。
【請求項２】
前記フリンガーは、前記ハウジングとの対向面に凹状の球面を有することを特徴とする請求項１に記載のスピンドル装置。
【請求項３】
前記フリンガーの自由端部には、径方向外方に延出する鍔部が形成されることを特徴とする請求項１または２に記載のスピンドル装置。
【請求項４】
前記フリンガーの前記対向面には、少なくとも一つのリブが設けられていることを特徴とする請求項１から３のいずれか１項に記載のスピンドル装置。
【請求項５】
前記フリンガーの前記対向面には、径方向に沿って延びる複数の前記リブが円周方向に等間隔に設けられていることを特徴とする請求項４に記載のスピンドル装置。
【請求項６】
前記フリンガーは、前記回転軸に対して比重が小さく、且つ、比強度が高い材料からなることを特徴とする請求項１から５のいずれか１項に記載のスピンドル装置。
【請求項７】
前記フリンガーは、炭素繊維複合材料、アラミド繊維複合材料のいずれかからなる繊維強化複合材料によって構成されることを特徴とする請求項６に記載のスピンドル装置。
【請求項８】
前記フリンガーは、アルミニウム、ジュラルミン、チタンのいずれかからなる軽金属材料によって構成されることを特徴とする請求項６に記載のスピンドル装置。
【発明の詳細な説明】
【技術分野】
【０００１】
本発明は、スピンドル装置に関し、より詳細には、防水機能を有し、工作機械に適用するのに好適なスピンドル装置に関する。
【背景技術】
【０００２】
工作機械等に適用されるスピンドル装置の回転軸は、高速回転して被加工物の切削加工や研削加工を行っている。加工に際して、一般的に、刃具や砥石等の加工工具および加工部位の潤滑や冷却を目的として多量の加工液が加工部に供給される。即ち、潤滑により、被削特性の向上、加工刃先の摩耗抑制、工具寿命の延長などが図られる。また、冷却により、加工工具及び被加工物の熱膨張が抑制されて加工精度の向上、加工部位の熱溶着を防止して加工効率の向上や加工面の表面性状の向上が図られる。スピンドル装置と加工部との距離が近いこともあり、加工液がスピンドル装置の前面にも多量にかかる。この多量に供給される加工液が回転軸を支持する軸受内部に浸入しやすく、加工液が軸受内部に浸入すると、軸受の潤滑不良や焼付きなどの原因となるため軸受の防水性能が重要となる。特に、グリース封入潤滑やグリース補給潤滑される軸受においては、エアと共に潤滑油が供給されるオイル・エア潤滑やオイルミスト潤滑の軸受と比較して軸受内部が低圧であるため、加工液が軸受内部に浸入し易く、より高い防水性能が必要となる。
【０００３】
一般的な防水機構としては、オイルシールやＶリングなどの接触式シールが知られている。しかしながら、この接触式シールを、使用する軸受のｄｍｎ値が４０万以上（より好適には、５０万以上）の高速回転で使用されるスピンドル装置に適用した場合、接触式シールの接触部からの発熱が大きく、シール部材が摩耗して防水性能を長期間に亘って維持し難い問題がある。このため、工作機械では、スピンドル装置の前端部（工具側）に、回転軸と一体回転可能にフリンガーを固定し、該フリンガーとハウジングとの間の隙間を小さくした非接触シールである、所謂ラビリンスシールを構成して防水を図っている。高速で回転するフリンガーは、ラビリンス効果と共に、フリンガーに降りかかった加工液を遠心力で径方向外方に振り飛ばして、加工液の軸受内部への浸入を防止している。
【０００４】
フリンガーによる遠心力及びラビリンス効果を利用した防水効果は、回転の高速化や大径のフリンガーを用いることで遠心力を大きくすると共に、フリンガーとハウジングとの間の隙間を極力小さく、且つ、長く設けることが効果的である。しかし、高速回転したり、フリンガーの直径を大きくすると、フリンガーに作用する遠心力及びフープ応力もこれに比例して大きくなる。
【０００５】
特許文献１に記載の工作機械用主軸装置におけるシール装置においては、主軸の先端部と一体的に回転する遮蔽版を、ハウジングの先端面に対して隙間を隔てて対向するように配置し、遮蔽版とハウジングの先端面との間にラビリンス部を設けている。このように構成することによって、ワークなどに当たって跳ね返ったクーラントがハウジングの内部に浸入することを防止している。
【０００６】
また、特許文献２に記載の工作機械用主軸装置においては、主軸キャップと端面カバーとで形成するラビリンスシールを備え、当該ラビリンスシールがラビリンス室を備えるように構成されており、ラビリンス室の容積を大きく設定することで、主軸キャップと端面カバーとの隙間からラビリンス室にクーラント液が浸入した場合、ラビリンス室内のクーラント液の圧力が低下しクーラント液の流動を減衰させることを図っている。そして、主軸と主軸ヘッドの主軸ハウジングとの隙間から主軸の先端側に向かって大量の圧縮エアを供給することなく、主軸の軸受部にクーラント液が浸入するのを防止している。
【０００７】
また、図１０は、回転軸１０１がモータＭに対して前側及び後側に配置された前側及び後側軸受１０２，１０３によってハウジングＨに対して回転自在に支持される従来のモータビルトイン式スピンドル装置１００を示している。このスピンドル装置１００では、ハウジングＨの前側にカバー１０４を配置し、その内部に配置された前蓋１０５とナット１０６とのすきまをラビリンス構造とすることにより、外部からの液体などが前側軸受１０２の内部に浸入するのを防止している。
【先行技術文献】
【特許文献】
【０００８】
【特許文献１】特開２００２−２６３９８２号公報
【特許文献２】特開２０１０−７６０４５号公報
【発明の概要】
【発明が解決しようとする課題】
【０００９】
ところで、図１０に示した従来のスピンドル装置１００では、多量の液体がスピンドル装置１００の前面に吹きかかると、前蓋１０５とナット１０６との間のラビリンス隙間を通り前側軸受１０２に浸入し、前側軸受１０２が損傷する虞がある。
【００１０】
また、一般的にフリンガーは、ＳＣ材、ＳＣＭ材、ＳＵＳ材、ＣＵ材などの比較的比重が大きな金属材料で製作されている。従って、フリンガーに降りかかる加工液に大きな遠心力を作用させるために、フリンガーの直径を大きくすると、フリンガー自身、特に外径側に大きな遠心力が作用する。工作機械の回転軸のように、使用する軸受のｄｍｎ値が１００万以上となる高速回転においては、遠心力によってフリンガーが変形し、場合によってはフリンガー本来の防水機能が低下する虞があった。このため、遠心力による影響が許容される程度に、フリンガーの直径や回転軸の回転速度を制限する必要がある。即ち、使用する軸受のｄｍｎ値が１００万以上となる環境下で使用される従来のスピンドル装置では、遠心力の大きさを考慮してフリンガーの寸法を制限していたために、防水性能の点で改善の余地があった。
【００１１】
本発明は、前述した課題に鑑みてなされたものであり、その目的は、使用する軸受のｄｍｎ値が１００万以上の高速回転可能、且つ、良好な防水機能を維持しながら、遠心力によるフリンガーの変形を防止することができるスピンドル装置を提供することにある。
【課題を解決するための手段】
【００１２】
本発明の上記目的は、下記の構成により達成される。
（１）  一端側に加工工具が取り付けられる回転軸と、
前記回転軸を軸受を介して回転自在に支持するハウジングと、
前記回転軸の周囲に一体回転可能に固定され、前記軸受への液体の浸入を抑制する防水機能を有するフリンガーと、
を備えたスピンドル装置であって、
前記ハウジングは、その軸方向端面と外周面とを凸状の曲面によって繋ぐように形成され、
前記フリンガーは、円筒状の基部と、前記基部から径方向外側に延設する延設部と、を備え、
前記延設部は、前記ハウジングの凸状の曲面との対向面に凹状の曲面を有することを特徴とするスピンドル装置。
（２）  前記フリンガーは、前記ハウジングとの対向面に凹状の球面を有することを特徴とする（１）に記載のスピンドル装置。
（３）  前記フリンガーの自由端部には、径方向外方に延出する鍔部が形成されることを特徴とする（１）または（２）に記載のスピンドル装置。
（４）  前記フリンガーの前記対向面には、少なくとも一つのリブが設けられていることを特徴とする（１）から（３）のいずれかに記載のスピンドル装置。
（５）  前記フリンガーの前記対向面には、径方向に沿って延びる複数の前記リブが円周方向に等間隔に設けられていることを特徴とする（４）に記載のスピンドル装置。
（６）  前記フリンガーは、前記回転軸に対して比重が小さく、且つ、比強度が高い材料からなることを特徴とする（１）から（５）のいずれかに記載のスピンドル装置。
（７）  前記フリンガーは、炭素繊維複合材料、アラミド繊維複合材料のいずれかからなる繊維強化複合材料によって構成されることを特徴とする（６）に記載のスピンドル装置。
（８）  前記フリンガーは、アルミニウム、ジュラルミン、チタンのいずれかからなる軽金属材料によって構成されることを特徴とする（６）に記載のスピンドル装置。
【発明の効果】
【００１３】
本発明のスピンドル装置によれば、ハウジングは、その軸方向端面と外周面とを凸状の曲面によって繋ぐように形成され、フリンガーは、円筒状の基部と、基部から径方向外側に延設する延設部と、を備え、延設部は、ハウジングの凸状の曲面との対向面に凹状の曲面を有するので、高速回転時の遠心力による応力集中が抑えられ、高速回転が可能となり、液体を飛ばす振り切り効果が増加して防水性を上げることができる。従って、スピンドル装置は、使用する軸受のｄｍｎ値が１００万以上の高速回転可能、且つ、良好な防水機能を維持しながら、遠心力によるフリンガーの変形を防止することができる。
【図面の簡単な説明】
【００１４】
【図１】本発明の第１実施形態に係るスピンドル装置の断面図である。
【図２】図１のスピンドル装置の要部拡大断面図である。
【図３】第１実施形態の変形例に係るスピンドル装置を示す、図２に対応する断面図である。
【図４】図３のフリンガーの振り切り作用を説明するための断面図である。
【図５】本発明の第２実施形態に係るスピンドル装置の要部拡大断面図である。
【図６】図５のフリンガーの背面図である。
【図７】第２実施形態の第１変形例に係るフリンガーを示す、図８に対応する背面図である。
【図８】（ａ）〜（ｃ）は、図６のＶＩＩＩ−ＶＩＩＩ線に沿った、適用可能なリブの断面図である。
【図９】第２実施形態の第２変形例に係るスピンドル装置を示す、図７に対応する断面図である。
【図１０】従来のスピンドル装置を示す断面図である。
【発明を実施するための形態】
【００１５】
以下、本発明の一実施形態に係るスピンドル装置について、図面に基づいて詳細に説明する。
図１に示すように、スピンドル装置１０は、工作機械用のモータビルトイン式スピンドル装置であり、回転軸１１が、その工具側（前側、軸方向前方）を支承する２列の前側軸受５０，５０と、反工具側（後側、軸方向後方）を支承する２列の後側軸受６０，６０を介して、ハウジングＨに回転自在に支持されている。ハウジングＨは、工具側から順に、前側軸受外輪押さえ１２、外筒１３、後側ハウジング１４、後蓋５によって構成されている。外筒１３は、その軸方向前方に設けられた鍔部１３ａのボルト孔１３ｂにボルトを挿通して主軸ヘッドのブラケット（何れも不図示）に固定されている。
【００１６】
回転軸１１の工具側には、軸中心を通り軸方向に形成された工具取付孔２４及び雌ねじ２５が設けられている。工具取付孔２４及び雌ねじ２５は、不図示の加工工具を回転軸１１に取付けるために使用される。例えば、工具取付孔２４及び雌ねじ２５には、不図示の砥石クイルが取り付けられることで、研削加工が可能となる。
なお、回転軸１１の構成は、一端側に加工工具が取り付けられるものであればよく、工具取付孔２４及び雌ねじ２５の代わりに、回転軸１１の軸芯にドローバーを摺動自在に挿嵌するようにしてもよい。ドローバーは、工具ホルダを固定する不図示のコレット部を備え、皿ばねの力によってコレット部を反工具側方向に付勢する。
【００１７】
回転軸１１の前側軸受５０，５０と後側軸受６０，６０間の略軸方向中央には、回転軸１１と一体回転可能に配置されるロータ２６と、ロータ２６の周囲に配置されるステータ２７とを備える。ステータ２７は、ステータ２７に焼き嵌めされた冷却ジャケット２８を、ハウジングＨを構成する外筒１３に内嵌することで、外筒１３に固定される。ロータ２６とステータ２７とはモータＭを構成し、ステータ２７に電力を供給することでロータ２６に回転力を発生させて回転軸１１を回転させる。
【００１８】
各前側軸受５０は、外輪５１と、内輪５２と、接触角を持って配置される転動体としての玉５３と、図示しない保持器と、をそれぞれ有するアンギュラ玉軸受であり、各後側軸受６０は、外輪６１と、内輪６２と、転動体としての玉６３と、図示しない保持器と、を有するアンギュラ玉軸受である。前側軸受５０，５０（並列組合せ）と後側軸受６０，６０（並列組合せ）とは、互いに協働して背面組み合わせとなるように配置されている。
【００１９】
前側軸受５０，５０の外輪５１，５１は、外筒１３に内嵌されており、外筒１３にボルト締結された前側軸受外輪押さえ１２によって外輪間座５４を介して外筒１３に対し軸方向に位置決め固定されている。前側軸受５０，５０の内輪５２，５２は、回転軸１１に外嵌されており、回転軸１１に締結されたナット１６によって、内輪間座５５及び後述するフリンガー４０を介して回転軸１１に対し軸方向に位置決め固定されている。
【００２０】
後側軸受６０，６０の外輪６１，６１は、後側ハウジング１４に対して軸方向に摺動自在に内嵌するスリーブ１８に内嵌すると共に、このスリーブ１８にボルト６６で一体的に固定された後側軸受外輪押え１９によって、外輪間座６４を介してスリーブ１８に対し軸方向に位置決め固定されている。
【００２１】
後側軸受６０，６０の内輪６２，６２は、回転軸１１に外嵌されており、回転軸１１に締結された他のナット２１によって、内輪間座６５を介して回転軸１１に対し軸方向に位置決め固定されている。後側ハウジング１４と後側軸受外輪押え１９との間にはコイルばね２３が配設され、このコイルばね２３のばね力が、後側軸受外輪押え１９をスリーブ１８と共に後方に押圧する。これにより、後側軸受６０，６０に予圧が付与される。
【００２２】
ここで、本実施形態のような研削加工では、一般的に研削液を多量に加工部に供給し、加工部の冷却及び加工粉の除去を行なっている。この加工液が前側軸受５０，５０に浸入しないように、フリンガー４０が、前側軸受５０，５０より工具側（図中左側）において回転軸１１の周囲に一体回転可能に固定されており、前側軸受外輪押さえ１２及び外筒１３との間にラビリンスシールを構成して、外部からかかる研削液を回転軸１１の回転と共に振り切り、前側軸受５０，５０への液体の浸入を抑制する防水機能を与える。
【００２３】
図２も参照して、フリンガー４０は、基部としての円筒状のボス部４２と、該ボス部４２の軸方向前端部から径方向外方に延設された延設部４５と、を有する。そして、フリンガー４０は、ボス部４２を回転軸１１に外嵌して、ナット１６により内輪５２，５２と共に軸方向に締め付けることで、回転軸１１に一体回転可能に固定される。
【００２４】
前側軸受外輪押さえ１２及び外筒１３には、前側軸受外輪押さえ１２の軸方向前端面１２ｂと外筒１３の外周面１３ｃとの間を繋ぐように、凸状の球面１２ｃ及び１３ｄが形成されている。
【００２５】
一方、フリンガー４０の延設部４５の内面は、前側軸受外輪押さえ１２と外筒１３の凸状の球面１２ｃ，１３ｄとの対向面に、凹状の球面４５ａを有するとともに、前側軸受外輪押さえ１２の軸方向前端面１２ｂとの対向面に平面４５ｂと、外筒１３の外周面１３ｃとの対向面１３ｃに円筒面４５ｃと、を有する。また、延設部４５の外面は、前端面４５ｄと外周面４５ｅとの間に、内面に形成された凹状の球面４５ａと曲率中心が略等しい凸状の球面４５ｇを有する。このようにフリンガー４０を構成することで、延設部４５の肉厚が略一様となるため、応力集中をさらに抑制することができる。
【００２６】
また、ボス部４２は、前側軸受外輪押さえ１２の内周面１２ａに対して僅かな隙間を介して径方向に対向配置され、延設部４５は前側軸受外輪押さえ１２の軸方向前端面１２ｂから前側軸受け外輪押さえ１２及び外筒１３の凸状の球面１２ｃ，１３ｄを介して外筒１３の外周面１３ｃまで、僅かな隙間を介して対向配置される。このように、フリンガー４０は、ハウジングＨを構成する前側軸受外輪押さえ１２及び外筒１３と僅かな隙間、例えば０．５ｍｍ程度の隙間を介して対向配置され、所謂ラビリンスシールを構成する。
【００２７】
特に、延設部４５の円筒面４５ｃと外筒１３の外周面１３ｃとの間にはその周速度の差によってエアカーテンが形成され、被加工物を加工する際、スピンドル装置１０に降りかかる加工液が前側軸受５０，５０側に入ることを抑制するための防水機構を構成する。
【００２８】
また、このように構成されるフリンガー４０は、回転軸１１に使用される材料に対して比重が小さく、且つ、比強度（引っ張り強さ／比重）が高い材料からなり、具体的には、炭素繊維複合材料（ＣＦＲＰ）、アラミド繊維複合材料（ＡＦＲＰ）のいずれかからなる繊維強化複合材料、または、アルミニウム、ジュラルミン、チタンのいずれかからなる軽金属材料によって構成される。
【００２９】
例えば、炭素繊維複合材料としては、例えば、ＰＡＮ（ポリアクリルニトリル）を主原料とした炭素繊維からなる糸を平行に引きそろえたものや、炭素繊維からなる糸で形成した織物（シート状）に、硬化剤を含むエポキシ樹脂などの熱硬化樹脂を含浸させてなるシートを多数層重ね合わせて、芯金などに巻きつけ、加熱硬化させることで製造される。また、ピッチ系を主原料とした炭素繊維を使用することもできる。炭素繊維複合材料は、纖維方向・角度を最適化することで、引張強度、引張弾性率、線膨張係数などの物性値を用途に合わせて最適化することができる。
【００３０】
炭素繊維複合材料の特性としては、例えば、引張強度１８００〜３５００ＭＰａ、引張弾性率１３０〜２８０ＧＰａ、比重１．５〜２．０ｇ／ｃｃの物性値を持ったＰＡＮ系を主原料とした炭素繊維を用いると、従来の高張力鋼などと比べて、引張強度は同等以上であり、比重は１／５程度になる（比強度では、通常の金属材料に比べて略３倍となる）。また、熱膨張係数は、繊維方向・角度を最適化することにより、−５〜＋１２×１０−６Ｋ−１にすることができるので、従来の炭素鋼に比べて１〜１／１０程度にすることができる。
【００３１】
このように、一般的な金属と比較して比強度が高い炭素繊維複合材料を用いることで、直径が同じであればフリンガー４０に作用する遠心力を大幅に小さくすることができ、また、ハウジングＨとの対向面を変曲面のない凹状の球面４５ａによって形成したので、遠心力による応力集中が緩和される。従って、回転軸１１の回転速度に対する制約や、フリンガー４０の大きさ（径方向）に対する制限を大幅に緩和することができる。
【００３２】
これにより、従来達成することが困難であった更なる高速回転化、或いはフリンガー４０の大型化が可能となり、加工液に作用する遠心力を高めて、降りかかる加工液を確実に径方向外方に振り飛ばして軸受内部への浸入を防止することができる。また、フリンガー４０の延設部４５に作用する遠心力が小さくなることで、比較的強度が弱い片持ち構造となる延設部４５の開口側（図中右側）が径方向外方へ拡径することを抑制することができる。これにより、延設部４５の径方向長さ及び軸方向長さを長く設定して、ラビリンスシールの長さが長くなり防水効果が向上する。
【００３３】
なお、外筒１３の外周面１３ｃには、フリンガー４０の自由端部４５ｚと対向する位置に、円周溝１３ｅが全周に亘って形成されている。従って、仮にラビリンス隙間に加工液が浸入した場合であっても、加工液は円周溝１３ｅに溜まるので、前側軸受５０への加工液の浸入を抑制することができる。なお、フリンガー４０の自由端部４５ｚは、円周溝１３ｅを覆うように設けられており、円周溝１３ｅよりも反工具側（図中、右側）に位置していることが好ましい。
【００３４】
また、前側軸受外輪押さえ１２は、フリンガー４０のボス部４２と径方向に対向する内周面１２ａに、径方向外方に向かって全周に亘るように凹設された環状溝８５と、該環状溝８５から径方向外方に延びる第１延出孔８９と、を有している。また、外筒１３には、第１延出孔８９の径方向外方端部と接続して軸方向後方に延びる第２延出孔９０と、第２延出孔９０の軸方向後方端部に接続して径方向外方に延び、鍔部１３ａの外周面に連通する第３延出孔９１と、を有している。そして、これら第１、２、３延出孔８９、９０、９１は、環状溝８５と鍔部１３ａの外周面とを連通する連通孔としてのドレン孔８８を構成する。したがって、フリンガー４０のボス部４２と前側軸受外輪押さえ１２の内周面８３との間に研削液が浸入した場合であっても、当該研削液は、環状溝８５に溜まり、ドレン孔８８を介して外部に排出されるので、前側軸受５０への研削液の浸入をさらに抑制することが可能である。
【００３５】
なお、防水性能をより発揮するために、本実施形態のスピンドル装置１０は、横向き（軸方向が重力方向に対して垂直の状態）で、且つ、鍔部１３ａに設けられたドレン孔８８の開口８８ａが重力方向を指向するように用いることが望ましい。スピンドル装置１０を横向きで使用することによって、ラビリンス隙間に研削液が浸入し難くなると共に、ドレン孔８８の開口８８ａを重力方向に指向させることによって、ラビリンスから研削液を排出する効果を高めることができる。
【００３６】
以上説明したように、本実施形態のスピンドル装置１０によれば、フリンガー４０は、
ハウジングＨとの対向面に凹状の球面４５ａを有する。これにより、高速回転時の遠心力によるフリンガー４０の応力集中が抑えられ、高速回転が可能となり、液体を飛ばす振り切り効果が増加して防水性を上げることができる。従って、スピンドル装置１０は、主軸に使用される軸受５０，６０のｄｍｎ値（特に、フリンガー４０が前方に配置される前側軸受５０のｄｍｎ値）が１００万以上の高速回転可能、且つ、良好な防水機能を維持しながら、遠心力によるフリンガー４０の変形を防止することができる。
【００３７】
また、ハウジングＨは、前側軸受外輪押さえ１２の軸方向端面１２ｂと外筒１３の外周面１３ｃとを凸状の球面１２ｃ、１３ｄによって繋ぐように形成され、フリンガー４０は、円筒状のボス部４２と、ボス部４２から径方向外側に延設する延設部４５と、を備え、延設部４５は、ハウジングＨの凸状の球面１２ｃ、１３ｄとの対向面に凹状の球面４５ａを有する。これにより、フリンガー４０とハウジングＨとの間に一様な隙間のラビリンスシールを構成することができ、防水効果を向上することができる。
【００３８】
また、フリンガー４０は、繊維強化複合材料や軽金属材料などの、回転軸１１に対して比重が小さく、且つ、比強度が高い材料からなるので、高速回転時の遠心力による応力集中が抑えられ、回転軸１１と同じ鉄などの部材で構成した場合に比べ、フリンガーの外径を大きくでき、スピンドル装置１０の前面を覆うことができ、遠心力により研削液などの液体を外径側へ飛ばし、防水性を向上することができる。
【００３９】
図３及び図４は、第１実施形態の変形例に係るスピンドル装置を示す。この変形例では、フリンガー４０は、延設部４５の自由端部４５ｚに、外周面４５ｅから径方向外方に延出する鍔部４５ｈが形成されている。
【００４０】
これにより、図４に示すように、フリンガー４０の外面に付着した液体は、遠心力と表面張力（表面付着力に相当）作用でフリンガー４０の表面上を外径側に移動し、フリンガー４０の最外周面部位に位置する鍔部４５ｈから径方向外方へ放射状に拡散することになる。振り飛ばされた液体は一種のカーテン遮蔽膜となり、該膜によって加工部位から直接飛散した油がラビリンスの開口部に浸入するのを防止する。
【００４１】
また、フリンガー４０の遠心力による半径方向の変形量は、延設部４５の自由端部４５ｚで最も大きくなり、応力も最大となる。したがって、この変形例のように、鍔部４５ｈによって自由端部４５ｚの肉厚を適度に増加させることで、自由端部４５ｚの応力を緩和することができ、フリンガー４０の強度を強化することができる。
【００４２】
（第２実施形態）
次に、本発明の第２実施形態に係るスピンドル装置について、図５及び図６を参照して説明する。この実施形態では、フリンガー４０は、第１実施形態と同様に、外面に形成された凸状の球面４５ｇと内面に形成された凹状の球面４５ａとによって略一様な肉厚の延設部４５を有する一方、ハウジングＨとの対向面には、複数のリブ４６が円周方向に等間隔で設けられている。また、前側外輪押さえ１２と外筒１３とは凸状の球面１２ｃ、１３ｄを形成している。各リブ４６は、ボス部４２の外周面から径方向外方に向かって延び、径方向外方に向かって徐々に薄肉となるように形成されており、ハウジングＨとの対向面には凹状の球面４６ａを有する。従って、本実施形態の場合には、フリンガー４０の内面とハウジングＨの外面との間の隙間は、リブ４６の板厚分だけ広く形成されているが、フリンガー４０の円筒面４５ｃと外筒１３の外周面１３ｃとの間には、リブ４６が介在せず、狭く形成されている。
【００４３】
なお、リブ４６の材質も、回転軸１１に対して比重が小さく、且つ、比強度が高い材料からなる。このため、フリンガー４０とリブ４６は、別体に形成しても、一体に形成してもよい。
【００４４】
従って、本実施形態によれば、フリンガー４０のハウジングＨとの対向面に、複数のリブ４６が円周方向に等間隔で設けられているので、フリンガー４０の強度をさらに向上することができる。
【００４５】
なお、リブ４６の本数は、アンバランスが生じないように、円周方向で等間隔に配置することが好ましく、少なくとも２箇所以上とし、より好ましくは、図６に示すような４箇所、図７に示す第１変形例のような６箇所など、少なくとも４箇所以上とすることがよい。また、リブ４６の断面形状は、図８（ａ）〜（ｃ）に示すように、フリンガー４０の回転による空気抵抗を抑制するため、矩形形状、台形形状、曲面形状のいずれの形状としてもよい。
【００４６】
図９は、第２実施形態の第２変形例に係るスピンドル装置を示す。この実施形態では、径方向に沿って延びるリブ４６が、延設部４５の凹状の球面４５ａ部分から円筒面４５ｃに亘って形成されている。従って、本実施形態の場合には、フリンガー４０の円筒面４５ｃと外筒１３の外周面１３ｃとの間には、リブ４６の板厚分だけ隙間が広く形成される一方、フリンガー４０の平面４５ｂと前側軸受外輪押さえ１２の軸方向前端面１２ｂとの間には、リブ４６が介在せず、隙間が狭く形成されている。また、各リブ４６は、ハウジングＨとの対向面に凹状の球面４６ａを有する。
【００４７】
従って、この変形例においても、複数のリブ４６を設けることで、フリンガー４０の強度をさらに向上することができ、また、各リブ４６は、延設部４５の凹状の球面４５ａ部分から円筒面４５ｃに亘って、ハウジングＨとの対向面に部分的に形成したので、スピンドル装置１０の軸方向寸法を抑えることができる。
【００４８】
なお、この変形例においても、第１実施形態の第２変形例と同様、フリンガー４０は、延設部４５の自由端部４５ｚに、外周面４５ｅから径方向外方に延出する鍔部４５ｈが形成されている。
【００４９】
なお、本実施形態では、複数のリブ４６が、径方向に延びて形成されているが、これに限定されず、フリンガー４０のハウジングＨとの対向面に、少なくとも一つのリブが設けられればよい。例えば、円周方向に延びるリブが少なくとも一つ設けられればよく、円周方向の全周に亘って単一のリブが形成されてもよいし、円周方向に延びる複数のリブが円周方向に等間隔に部分的に設けられてもよい。
【００５０】
なお、本発明は、前述した各実施形態に限定されるものではなく、適宜、変形、改良、等が可能である。また、本発明は、実施可能な範囲において、適宜、組み合わせて適用可能である。
【００５１】
本実施形態では、フリンガー４０は、ハウジングＨとの対向面に凹状の球面４５ａを有する構成としたが、本発明は、これに限定されず、例えば、断面楕円曲線からなる凹状の曲面など、ハウジングＨとの対向面に凹状の曲面を有するものであってもよい。また、ハウジングも、その軸方向端面と外周面との間を、フリンガー４０の凹状の曲面に対応した凸状の曲面によって繋ぐように形成されてもよい。
【００５２】
また、本実施形態では、フリンガー全体が繊維強化複合材料や軽金属材料など、回転軸に対して比重が小さく、且つ、比強度が高い材料によって構成されているが、フリンガーの少なくとも一部に該材料を使用するものであってもよい。ただし、遠心力が作用する延設部は、該材料によって構成されることが好ましい。
【００５３】
また、モータビルトイン式スピンドル装置として説明したが、これに限定されず、ベルト駆動方式スピンドル装置、モータの回転軸とカップリング連結されたモータ直結駆動方式スピンドル装置にも同様に適用可能である。更に、工作機械用のスピンドル装置に限定されず、防水機能が要望される、他の高速回転機器のスピンドル装置にも適用することができる。
【符号の説明】
【００５４】
１０  スピンドル装置
１１  回転軸
１２  前側軸受外輪押さえ
１２ｃ  凸状の球面
１３  外筒
１３ｄ  凸状の球面
４０  フリンガー
４２  ボス部（基部）
４５  延設部
４５ａ  凹状の球面（凹状の曲面）
４６  リブ
５０  前側軸受（軸受）
６０  後側軸受（軸受）
Ｈ  ハウジング
【図１】
2014046408.tif 000003
【図２】
2014046408.tif 000004
【図３】
2014046408.tif 000005
【図４】
2014046408.tif 000006
【図５】
2014046408.tif 000007
【図６】
2014046408.tif 000008
【図７】
2014046408.tif 000009
【図８】
2014046408.tif 000010
【図９】
2014046408.tif 000011
【図１０】
2014046408.tif 000012